(57)【特許請求の範囲】
【請求項１】
緊急情報を受信する受信手段と、
電化製品の制御ボタンを表示する表示手段と、
ユーザの操作を受け付ける操作受付手段と、
前記電化製品の制御信号を送信する送信手段と、
前記表示手段および前記送信手段を制御する制御手段と、を備え、
前記制御手段は、前記受信手段が緊急情報を受信したら前記電化製品の制御ボタンを表示するように前記表示手段を制御し、前記操作受付手段により前記制御ボタンが選択されたら前記電化製品の制御信号を送信出力を上げて送信するように前記送信手段を制御することを特徴とする携帯端末。
【請求項２】
請求項１に記載の携帯端末において、
前記電化製品はテレビジョン受像機であり、
前記電化製品の制御信号は前記テレビジョン受像機の電源の投入を指示する信号であることを特徴とする携帯端末。
【請求項３】
請求項２に記載の携帯端末において、
ユーザが予めテレビジョン受像機の機種を設定可能であり、
ユーザが予めテレビジョン受像機の機種を設定してから前記制御ボタンを押した場合には、ユーザが予め設定した機種のテレビジョン受像機の制御信号を送信し、
ユーザが予めテレビジョン受像機の機種を設定せずに前記制御ボタンを押した場合には、複数の機種のテレビジョン受像機の制御信号を順に送信することを特徴とする携帯端末。
【請求項４】
請求項１に記載の携帯端末において、
前記電化製品は照明器具であり、
前記電化製品の制御信号は前記照明器具の電源の投入を指示する信号であることを特徴とする携帯端末。
【請求項５】
請求項１に記載の携帯端末において、
前記電化製品はコンロであり、
前記電化製品の制御信号は前記コンロの電源を切断を指示する信号であることを特徴とする携帯端末。
【請求項６】
緊急情報を受信する受信手段と、
複数の電化製品の制御ボタンを表示する表示手段と、
ユーザの操作を受け付ける操作受付手段と、
前記電化製品の制御信号を送信する送信手段と、
前記表示手段および前記送信手段を制御する制御手段と、を備え、
前記制御手段は、前記受信手段が緊急情報を受信したら前記複数の電化製品の制御ボタンを表示するように前記表示手段を制御し、前記操作受付手段により制御ボタンが選択されたら対応する電化製品の制御信号を送信出力を上げて送信するように前記送信手段を制御することを特徴とする携帯端末。
【請求項７】
請求項６に記載の携帯端末において、
前記複数の電化製品はテレビジョン受像機、照明器具、及びコンロであり、
前記制御手段は、前記受信手段が緊急情報を受信したらテレビジョン受像機の制御ボタンと照明器具の制御ボタンとコンロの制御ボタンを表示するように前記表示手段を制御し、前記操作受付手段により制御ボタンが選択されたら対応する電化製品の制御信号を送信するように前記送信手段を制御することを特徴とする携帯端末。
【請求項８】
請求項１〜７の何れかに記載の携帯端末において、
前記緊急情報は緊急地震速報であることを特徴とする携帯端末。
【請求項９】
地震を検出したことに基づいて緊急情報を配信する地震検出装置と、前記緊急情報を受信した旨をユーザに通知する機能を有する携帯端末と、を備えた電化製品制御システムであって、
前記携帯端末は前記緊急情報を受信したら電化製品の制御ボタンを表示し、該制御ボタンが押されたら前記電化製品の制御信号を送信出力を上げて送信することを特徴とする電化製品制御システム。
【請求項１０】
請求項９に記載の電化製品制御システムにおいて、
前記携帯端末は予め設定された震度以上の震度を前記緊急情報が示したら全電化製品の電源を切断する制御ボタンを表示し、該制御ボタンが押されたら各電化製品の電源を切断する制御信号を順に送信することを特徴とする電化製品制御システム。
【請求項１１】
請求項１０に記載の電化製品制御システムにおいて、
前記携帯端末は予め設定された震度以上の震度を前記緊急情報が示したら各電化製品の電源を切断する制御信号を複数送信することを特徴とする電化製品制御システム。
【発明の詳細な説明】
【技術分野】
【０００１】
本発明は、携帯端末および電化製品制御システムに関するものである。
【背景技術】
【０００２】
本技術分野の背景技術として、特開２００３−９２６２号公報（特許文献１）がある。この公報には、「複数の電化製品を統括的に制御する市販の汎用リモートコントローラは、使いやすさを保持したままあらゆる電化製品に対応するだけの柔軟性に欠けていた」ことを課題に挙げ、その解決手段として「電化製品を遠隔から制御するためにその電化製品について定義された制御データを、その電化製品を遠隔から制御するプログラムを実行する携帯端末に対してネットワーク経由で送信し、そのプログラムの動作のもとで、ユーザによる携帯端末の操作と電化製品の制御とを制御データを用いて関連づけ、これにより携帯端末を電化製品のリモートコントローラとして機能させる。」と記載されている。
【先行技術文献】
【特許文献】
【０００３】
【特許文献１】特開２００３−９２６２号公報
【発明の概要】
【発明が解決しようとする課題】
【０００４】
前記特許文献１には、携帯端末を電化製品のリモートコントローラとして機能させる仕組みが記載されている。しかし、このリモートコントローラの機能を作動させるために、ユーザは携帯端末上のボタンを複数回押す必要があり、例えば地震等の災害が発生したような緊急時において、速やかに電化製品の電源を入れることはできない。
【０００５】
そこで、本発明の目的は、緊急時において、ユーザが簡易な操作をするだけで電化製品を制御することができるようになる携帯端末および電化製品制御システムを提供することである。
【課題を解決するための手段】
【０００６】
本発明の目的は、例えば携帯端末が緊急地震速報を受信したら電化製品の制御ボタンを表示し、当該制御ボタンが押されたら電化製品の制御信号を送信することで達成できる。
【発明の効果】
【０００７】
本発明によれば、緊急時において、ユーザが簡易な操作をするだけで電化製品を制御することができるようになる。
【０００８】
上記した以外の課題、構成及び効果は、以下の実施形態の説明により明らかにされる。
【図面の簡単な説明】
【０００９】
【図１】第１の実施例の携帯端末の構成を示すブロック図。
【図２】第１の実施例の携帯端末の動作を説明するフローチャート。
【図３】第１の実施例の携帯端末の液晶パネルの表示例。
【図４】第１の実施例の携帯端末の液晶パネルの表示例。
【図５】第２の実施例の携帯端末の構成を示すブロック図。
【図６】第２の実施例の携帯端末の動作を説明するフローチャート。
【図７】第３の実施例の携帯端末の構成を示すブロック図。
【図８】第３の実施例の携帯端末の動作を説明するフローチャート。
【図９】第３の実施例の携帯端末の液晶パネルの表示例。
【図１０】第４の実施例の携帯端末の構成を示すブロック図。
【図１１】第５の実施例の緊急システムの構成を示すブロック図。
【図１２】第５の実施例の携帯端末の動作を説明するフローチャート。
【図１３】第５の実施例の携帯端末の液晶パネルの表示例。
【図１４】第６の実施例の緊急システムの構成を示すブロック図。
【図１５】第６の実施例の携帯端末の動作を説明するフローチャート。
【図１６】第６の実施例の携帯端末の液晶パネルの表示例。
【図１７】第７の実施例の携帯端末の動作を説明するフローチャート。
【発明を実施するための形態】
【００１０】
以下、図面を用いて実施例を説明する。
【実施例１】
【００１１】
図１は、本発明の第１の実施例の携帯端末の構成を示すブロック図である。携帯端末１は携帯基地局２から送信された緊急地震速報を受信した場合にテレビジョン受像機（以下、テレビと表記）の電源ボタンを表示する。
【００１２】
そして、ユーザによってその電源ボタンが押された場合、携帯端末１はテレビ３に制御信号を送り、テレビの電源を入れる。携帯端末１の各部の制御はＣＰＵ（Ｃｅｎｔｒａｌ  Ｐｒｏｃｅｓｓｉｎｇ  Ｕｎｉｔ）４が行う。ＣＰＵの代わりに任意の制御回路や、ＡＳＩＣ等の専用回路を用いても良い。地震情報受信部５は緊急地震速報を受信し、ＣＰＵ４に送る。表示部６は緊急地震速報およびテレビの電源ＯＮボタンを表示する。表示部６は例えば液晶パネルによって構成される。入力部７は押ボタンスイッチであり、ユーザに押されたことを検出したら、ＣＰＵ４にその旨を通知する。そして、ＣＰＵ４はテレビ３の電源の投入を指示する制御信号を制御信号送信部８に送信させる。テレビ３は制御信号を受け、電源を入れる。なお、地震情報受信部５および制御信号送信部８は、アンテナ（後述）の他、符号化回路および復号化回路を含む通信回路などから構成される。
【００１３】
次に、緊急地震速報を受信してからテレビ３の電源を入れるまでの携帯端末１の動作を説明する。携帯基地局２から緊急地震速報が送信されたら、地震情報受信部５は緊急地震速報を受信し、ＣＰＵ４に送る。ＣＰＵ４は表示部６に緊急地震速報に基づく地震情報を表示させると共に、テレビ３の電源ＯＮボタンを表示させる。入力部７は押ボタンスイッチが押されたことを検出したら、その旨をＣＰＵ４に通知する。そして、ＣＰＵ４はテレビ３の電源を入れる制御信号を制御信号送信部８から送信する。
【００１４】
図２は、第１の実施例の携帯端末の動作を示すフローチャートである。
【００１５】
ＣＰＵ４は、ステップＳ２０１において緊急地震速報を受信したら、ステップＳ２０２において緊急地震モードに移行して、緊急地震速報の地震情報と共にテレビの電源ＯＮボタンを液晶パネルに表示させる。次に、ＣＰＵ４は、ステップＳ２０３において電源ボタンの押下の有無を監視し、電源ＯＮボタンが押された場合は、ステップＳ２０４においてテレビの電源を入れる制御信号を送信する。そして、ＣＰＵ４は、ユーザの操作に基づき、ステップＳ２０５において緊急地震モードを終了する。
【００１６】
図３は、緊急地震速報を受信した際の携帯端末の液晶パネルの表示例である。緊急地震速報の地震情報と共にテレビの電源ＯＮボタンが液晶パネル３３に表示されている。携帯端末３１はアンテナ３２にて緊急地震速報を受信したら、緊急地震モードに移行して、液晶パネル３３には地震情報とテレビの電源ＯＮボタン３４が表示される。電源ＯＮボタン３４に対応する押ボタンスイッチ３５がユーザによって押されたら、ＣＰＵ４は赤外線送信部３６に制御信号を送信させる。解除ボタン３７に対応する押ボタンスイッチ３８がユーザによって押されたら、ＣＰＵ４は緊急地震モードを解除し、通常モードに戻る。
【００１７】
図４は、緊急地震速報を受信した際の携帯端末の液晶パネルの別の表示例である。緊急地震速報の地震情報と共にテレビの電源ＯＮボタンが液晶パネル４３に表示されている。携帯端末４１はアンテナ４２にて緊急地震速報を受信したら、緊急地震モードに移行して、液晶パネル４３には地震情報とテレビの電源ＯＮボタン４４が表示される。液晶パネル４３はタッチパネルになっており、ユーザによって電源ＯＮボタン４４の部分が触れられると赤外線送信部４６から制御信号を送信される。解除ボタン４７が押されたら、携帯端末４１は緊急地震モードを解除し、通常モードに戻る。
【００１８】
以上の構成により本発明の第１の実施例では、地震の発生を予告する緊急地震速報を受信すると電化製品の電源ボタンが自動的に表示されるので、緊急時に最小限のボタン操作でテレビ等の電化製品の電源を入れる携帯端末を提供することができる。更に、ユーザは簡単な操作でテレビを見ることができるようになるため、例えば、発生が予想される災害の種別およびその規模、並びに災害が発生したことによる被害に関する情報を容易に入手することができる。
【実施例２】
【００１９】
図５は、本発明の第２の実施例の携帯端末の構成を示すブロック図である。図１と共通の箇所については説明を極力省略する。携帯端末５１は携帯基地局２から送信された緊急地震速報を受信した場合にテレビの電源ＯＮボタンを表示する。
【００２０】
そして、電源ＯＮボタンが押された場合、携帯端末５１はテレビ３に制御信号を送り、テレビの電源を入れる。携帯端末５１の各部の制御はＣＰＵ５４が行う。地震情報受信部５は緊急地震速報を受信し、ＣＰＵ５４に送る。記憶部５２はユーザが登録したテレビ３の機種、あるいは機種に対応する制御信号を記憶する。
【００２１】
次に、緊急地震速報を受信してからテレビ３の電源を入れるまでの携帯端末５１の動作を説明する。携帯基地局２から緊急地震速報が送信されたら、地震情報受信部５は緊急地震速報を受信し、ＣＰＵ５４に送る。ＣＰＵ５４は表示部６に地震情報を表示させると共に、テレビ３の電源ＯＮボタンを表示させる。入力部７は押ボタンスイッチが押されたことを検出したら、その旨をＣＰＵ５４に通知する。そして、ＣＰＵ５４はテレビ３の電源を入れる制御信号を制御信号送信部８に送信させる。その際に、テレビ３の機種が登録されている場合、すなわち記憶部５２にテレビ３の機種、あるいは機種に対応する制御信号が記憶されている場合は該当する制御信号のみを送信する。テレビ３の機種が登録されていない場合、すなわち記憶部５２にテレビ３の機種、あるいは機種に対応する制御信号が記憶されていない場合は全機種の制御信号を順に送信する。
【００２２】
図６は、第２の実施例の携帯端末の動作を示すフローチャートである。
【００２３】
ＣＰＵ５４は、ステップＳ６０１において緊急地震速報を受信したら、ステップＳ６０２において緊急地震モードに移行して、緊急地震速報の地震情報と共にテレビの電源ＯＮボタンを液晶パネルに表示させる。
【００２４】
次にステップＳ６０３において電源ＯＮボタンが押されたら、ＣＰＵ５４は、ステップＳ６０４においてテレビの機種が登録済みかどうかを確認する。登録済であれば、ＣＰＵ５４は、ステップＳ６０５において登録された機種のテレビの電源を入れる制御信号のみを送信し、登録済でなければ、ステップＳ６０６において全機種の制御信号を順に送信する。そして、ＣＰＵ５４は、ユーザの操作に基づき、ステップＳ６０７において緊急地震モードを解除し、処理を終了する。
【００２５】
以上の構成により本発明の第２の実施例では、地震の発生を予告する緊急地震速報を受信すると電化製品の電源ボタンを自動的に表示するので、緊急時に最小限のボタン操作でテレビ等の電化製品の電源を入れる携帯端末を提供することができる。
【００２６】
更に、テレビの機種あるいは当該機種に対応する制御信号をユーザが登録することにより当該テレビ用の制御信号のみを送信でき、ユーザが登録しない場合は全機種の制御信号を順に送信することができる。
【００２７】
なお、本実施例では電化製品の電源ボタンを押ボタンスイッチとする例を示したが、タッチパネルでも良い。
【実施例３】
【００２８】
図７は、本発明の第３の実施例の携帯端末の構成を示すブロック図である。図１と共通の箇所については説明を極力省略する。携帯端末７１は携帯基地局２から送信された緊急地震速報を受信した場合にテレビ３および照明器具７５の電源ＯＮボタン、並びにコンロ７６の電源ＯＦＦボタンを表示する。
【００２９】
そして、テレビ３の電源ＯＮボタンが押された場合、携帯端末７１はテレビ３に制御信号を送り、テレビ３の電源を入れる。照明器具７５の電源ＯＮボタンが押された場合、携帯端末７１は照明器具７５に電源の投入を指示する制御信号を送り、照明器具７５の電源を入れる。コンロ７６の電源ＯＦＦボタンが押された場合、携帯端末７１はコンロ７６に電源の切断を指示する制御信号を送り、コンロ７６の電源を切る。携帯端末７１の各部の制御はＣＰＵ７４が行う。地震情報受信部５は緊急地震速報を受信し、ＣＰＵ７４に送る。ＣＰＵ７４は表示部６に地震情報を表示させると共に、テレビ３、照明器具７５の電源ＯＮボタン、コンロ７６の電源ＯＦＦボタンを表示する。制御信号送信部７８はテレビ３、照明器具７５、コンロ７６を制御する制御信号を送信する。照明器具７５は制御信号を受けたことを契機に、その電源を入れる。また、コンロ７６は制御信号を受けると、その電源を切る。
【００３０】
次に、緊急地震速報を受信してからテレビ３、照明器具７５の電源を入れ、コンロ７６の電源を切るまでの携帯端末７１の動作を説明する。携帯基地局２から緊急地震速報が送信されたら、地震情報受信部５は緊急地震速報を受信し、ＣＰＵ７４に送る。ＣＰＵ７４は表示部６に地震情報を表示させると共に、テレビ３、照明器具７５の電源ＯＮボタン、コンロ７６の電源ＯＦＦボタンを表示させる。入力部７は押ボタンスイッチが押されたことを検出したら、その旨をＣＰＵ７４に通知する。そして、ＣＰＵ７４はテレビ３、照明器具７５の電源を入れる制御信号、あるいはコンロ７６の電源を切る制御信号を制御信号送信部７８に送信させる。
【００３１】
図８は、第３の実施例の携帯端末の動作を示すフローチャートである。
【００３２】
ＣＰＵ７４は、ステップＳ８０１において緊急地震速報を受信したら、ステップＳ８０２において緊急地震モードに移行して、緊急地震速報の地震情報と共にテレビ、照明器具、コンロ等の電化製品の電源ボタンを液晶パネルに表示する。
【００３３】
次に、ＣＰＵ７４は、ステップＳ８０３においてテレビの電源ＯＮボタンの押下の有無を監視し、テレビの電源ＯＮボタンが押されたら、ステップＳ８０４においてテレビの電源を入れる制御信号を送信する。ＣＰＵ７４は、ステップＳ８０５において照明器具の電源ＯＮボタンの押下の有無を監視し、照明器具の電源ＯＮボタンが押されたら、ステップＳ８０６において照明器具の電源を入れる制御信号を送信する。ＣＰＵ７４は、ステップＳ８０７においてコンロの電源ＯＦＦボタンの押下の有無を監視し、コンロの電源ＯＦＦボタンが押されたら、ステップＳ８０８においてコンロの電源を切る制御信号を送信する。そして、ＣＰＵ７４は、ユーザの操作に基づき、ステップＳ８０９において緊急地震モードを解除し、処理を終了する。
【００３４】
図９は、緊急地震速報を受信した際の携帯端末の液晶パネルの表示例である。緊急地震速報の地震情報と共にテレビ、照明器具、コンロの電源ボタンが液晶パネルに表示されている。携帯端末９１はアンテナ４２にて緊急地震速報を受信すると、液晶パネル９３に地震情報、テレビの電源ＯＮボタン４４、照明器具の電源ＯＮボタン９４、およびコンロの電源ＯＦＦボタン９５を表示させる。液晶パネル９３はタッチパネルになっており、電源ボタン４４、９４、９５が押されたら、ＣＰＵ７４は、赤外線送信部４６に制御信号を送信させる。解除ボタン４７が押されたら、ＣＰＵ７４は緊急地震モードを解除し、通常モードに戻る。
【００３５】
以上の構成により本発明の第３の実施例では、地震の発生を予告する緊急地震速報を受信すると電化製品の電源ボタンが自動的に表示されるので、緊急時に最小限のボタン操作でテレビ、照明器具等の電化製品の電源を入れ、災害の拡大要素につながりかねないコンロ等の電化製品の電源を切る携帯端末を提供することができる。
【００３６】
また、本実施例では電化製品の電源ボタンをタッチパネルとする例を示したが、押ボタンスイッチでも良い。
【実施例４】
【００３７】
図１０は、本発明の第４の実施例の携帯端末の構成を示すブロック図である。図１と共通の箇所については説明を極力省略する。携帯端末１０１は携帯基地局２から送信された緊急地震速報を受信した場合にテレビ１０３、照明器具１０５の電源ＯＮボタン、コンロ１０６の電源ＯＦＦボタンを表示する。
【００３８】
そして、テレビ１０３の電源ＯＮボタンが押された場合、携帯端末１０１は無線ＬＡＮ（Ｌｏｃａｌ  Ａｒｅａ  Ｎｅｔｗｏｒｋ）ルータ１０２を介してテレビ１０３に制御信号を送り、テレビ１０３の電源を入れる。照明器具１０５の電源ＯＮボタンが押された場合、携帯端末１０１は無線ＬＡＮルータ１０２を介して照明器具１０５に制御信号を送り、照明器具１０５の電源を入れる。コンロ１０６の電源ＯＦＦボタンが押された場合、携帯端末１０１は無線ＬＡＮルータ１０２を介してコンロ１０６に制御信号を送り、コンロ１０６の電源を切る。携帯端末１０１の各部の制御はＣＰＵ１０４が行う。地震情報受信部５は緊急地震速報を受信し、ＣＰＵ１０４に送る。制御信号送信部１０８は無線ＬＡＮルータ１０２を介してテレビ１０３、照明器具１０５、コンロ１０６を制御する制御信号を送信する。
【００３９】
以上の構成により本発明の第４の実施例では、地震等の災害が発生して緊急放送を受信すると電化製品の電源ボタンを自動的に表示するので、緊急時に最小限のボタン操作でテレビ、照明器具等の電化製品の電源を入れ、コンロ等の電化製品の電源を切る携帯端末を提供することができる。
【００４０】
なお、本実施例ではテレビ、照明器具、コンロを無線ＬＡＮで接続する例を示したが、制御信号を送信できれば有線ＬＡＮその他の通信手段でも良い。
【実施例５】
【００４１】
図１１は、本発明の第５の実施例の緊急システムを示すブロック図である。図１と共通の箇所については説明を極力省略する。携帯端末１１１は携帯基地局２から送信された緊急地震速報を受信した場合、あるいは地震検出装置１１２から送られた地震検出信号を受信した場合にテレビ３の電源ＯＮボタンを表示する。地震検出装置１１２から送られた地震検出信号を受信した場合、携帯端末１１１は更に検出した震度も表示する。
【００４２】
そして、電源ＯＮボタンが押された場合、携帯端末１１１はテレビ３に制御信号を送り、テレビの電源を入れる。携帯端末１１１の各部の制御はＣＰＵ１１４が行う。地震情報受信部１１５は緊急地震速報および地震検出信号を受信可能になっており、いずれか一方でも受信すると、ＣＰＵ１１４に送る。制御信号送信部８はテレビ３を制御する制御信号を送信する。
【００４３】
地震検出装置１１２は地震を検出した場合に携帯端末１１１に地震検出信号を送信する。地震検出装置１１２の各部の制御はＣＰＵ１１７が行う。ＣＰＵの代わりに任意の制御回路や、ＡＳＩＣ等の専用回路を用いても良い。振動検出部１１６は地震を検出し、ＣＰＵ１１７に通知する。そして、ＣＰＵ１１７は地震検出信号送信部１１８に地震検出信号を送信させる。
【００４４】
次に、地震を検出してからテレビ３の電源を入れるまでの携帯端末１１１および地震検出装置１１２の動作を説明する。
【００４５】
地震検出装置１１２の振動検出部１１６は地震を検出すると、その旨を震度と共にＣＰＵ１１７に通知する。ＣＰＵ１１７は地震検出信号送信部１１８に地震検出信号を送信させる。地震検出装置１１２から地震検出信号が送信されると、携帯端末１１１の地震情報受信部１１５は地震検出信号を受信し、ＣＰＵ１１４に送る。ＣＰＵ１１４は表示部６に震度等の地震情報を表示させると共に、テレビ３の電源ＯＮボタンを表示させる。入力部７は押ボタンスイッチが押されたことを検出したら、その旨をＣＰＵ１１４に通知する。そして、ＣＰＵ１１４はテレビ３の電源を入れる制御信号を制御信号送信部８に送信させる。
【００４６】
図１２は、第５の実施例の携帯端末の動作を示すフローチャートである。
【００４７】
ＣＰＵ１１７は、ステップＳ１２０１において緊急地震速報を受信したら、ステップＳ１２０２において緊急地震モードに移行して、緊急地震速報の地震情報と共にテレビの電源ＯＮボタンを液晶パネルに表示させる。また、緊急受信速報を受信していない場合であっても、ステップＳ１２０３において地震検出装置１１２からの地震検出情報を受信したら、ＣＰＵ１１７はステップＳ１２０４において緊急地震モードに移行して、震度等の地震情報と共にテレビの電源ＯＮボタンを液晶パネルに表示させる。次にステップＳ１２０５において電源ＯＮボタンが押されたら、ステップＳ１２０６においてテレビの電源を入れる制御信号を送信する。そして、ＣＰＵ１１７は、ユーザの操作に基づきステップＳ１２０７において緊急地震モードを解除し、処理を終了する。
【００４８】
図１３は、地震を検出した際の携帯端末の液晶パネルの表示例である。地震情報と共にテレビの電源ＯＮボタンが液晶パネルに表示されている。携帯端末１３１はアンテナ３２にて地震検出信号を受信すると、液晶パネル１３３に地震情報とテレビの電源ＯＮボタン３４が表示される。ＣＰＵ１１７は、電源ＯＮボタン３４に対応する押ボタンスイッチ３５を押されると、赤外線送信部３６から制御信号を送信させる。
【００４９】
以上の構成により本発明の第５の実施例では、地震の発生を予告する緊急地震速報を受信すると電化製品の電源ボタンが自動的に表示されるので、緊急時に最小限のボタン操作でテレビ等の電化製品の電源を入れる携帯端末を提供することができる。
【００５０】
更に振動を検出すると電化製品の電源ボタンが自動的に表示されるので、緊急時に最小限のボタン操作でテレビの電源を入れる携帯端末および緊急システムを提供することができる。
【実施例６】
【００５１】
図１４は、本発明の第６の実施例の緊急システムを示すブロック図である。図１、図７、図１１と共通の箇所については説明を極力省略する。携帯端末１４１は携帯基地局２から送信された緊急地震速報を受信した場合、あるいは地震検出装置１１２から送られた地震検出信号を受信した場合にテレビ３、照明器具７５の電源ＯＮボタン、コンロ７６の電源ＯＦＦボタンを表示する。地震検出装置１１２から送られた地震検出信号を受信した場合は更に検出した震度も表示する。
【００５２】
そして、テレビ３の電源ＯＮボタンがユーザによって押された場合、携帯端末１４１はテレビ３に制御信号を送り、テレビ３の電源を入れる。また、携帯端末１４１は、照明器具７５の電源ＯＮボタンが押された場合は照明器具７５に制御信号を送り、照明器具７５の電源を入れる。コンロ７６の電源ＯＦＦボタンが押された場合はコンロ７６に制御信号を送り、コンロ７６の電源を切る。携帯端末１４１の各部の制御はＣＰＵ１４４が行う。
【００５３】
地震情報受信部１１５は緊急地震速報および地震検出信号を受信し、ＣＰＵ１４４に送る。制御信号送信部１４８はテレビ３、照明器具７５、コンロ７６を制御する制御信号を送信する。更に地震検出装置１１２から送られた震度が予め設定された閾値以上の場合は、携帯端末１４１には全電化製品の電源ＯＦＦボタンが表示される。そして、全電化製品の電源ＯＦＦボタンが押された場合はテレビ３、照明器具７５、コンロ７６の全ての電源を切る。
【００５４】
次に、地震を検出してから全電化製品の電源を切るまでの携帯端末１４１および地震検出装置１１２の動作を説明する。
【００５５】
地震検出装置１１２の振動検出部１１６は地震を検出すると、その旨を震度と共にＣＰＵ１１７に通知する。ＣＰＵ１１７は地震検出信号送信部１１８に地震検出信号を送信させる。地震検出装置１１２から地震検出信号が送信されると、携帯端末１４１の地震情報受信部１１５は地震検出信号を受信し、ＣＰＵ１４４に送る。ＣＰＵ１４４は表示部６に震度等の地震情報を表示させると共に、震度が予め設定された閾値以上の場合は、全電化製品の電源ＯＦＦボタンを表示する。
【００５６】
入力部７は押ボタンスイッチが押されたことを検出したら、その旨をＣＰＵ１４４に通知する。そして、ＣＰＵ１４４はテレビ３、照明器具７５、コンロ７６の電源を切断する制御信号を制御信号送信部１４８に送信させる。
【００５７】
図１５は、第６の実施例の携帯端末の動作を示すフローチャートである。
【００５８】
ＣＰＵ１４４は、ステップＳ１５０１において緊急地震速報を受信したら、ステップＳ１５０２において緊急地震モードとに移行して、緊急地震速報の地震情報を液晶パネルに表示させる。また、緊急受信速報を受信していない場合であっても、ステップＳ１５０３において地震検出装置１１２からの地震検出情報を受信したら、ステップＳ１５０４において緊急地震モードに移行して、震度等の地震情報を液晶パネルに表示させる。
【００５９】
次に、ＣＰＵ１４４は、ステップＳ１５０５において、地震検出装置１１２が検出した震度あるいは緊急地震速報の予想震度等が予め設定された閾値以上か否かを判別し、震度あるいは緊急地震速報の予想震度等が予め設定された閾値以上の場合は、ステップＳ１５０６において全電化製品の電源ＯＦＦボタンを表示する。
【００６０】
ステップＳ１５０７において全電化製品の電源ＯＦＦボタンが押されたら、ＣＰＵ１４４は、ステップＳ１５０８においてテレビの電源を切断する制御信号を送信し、ステップＳ１５０９において照明器具の電源を切断する制御信号を送信し、ステップＳ１５１０においてコンロの電源を切断する制御信号を送信する。そして、ＣＰＵ１４４は、ユーザの操作に基づいて、ステップＳ１５１１において緊急地震モードを解除し、処理を終了する。
【００６１】
また、ステップＳ１５０５において、地震検出装置１１２が検出した震度あるいは緊急地震速報の予想震度等が予め設定された閾値未満の場合は、ＣＰＵ１４４は、ステップＳ１５１２においてテレビ、照明器具等の各電化製品の電源ＯＮボタン、コンロ等の各電化製品の電源ＯＦＦボタンを液晶パネルに表示させる。
【００６２】
ＣＰＵ１４４は、テレビの電源ＯＮボタンの押下の有無を監視し、ステップＳ１５１３においてテレビの電源ＯＮボタンが押されたら、ステップＳ１５１４においてテレビの電源を入れる制御信号を送信する。また、ＣＰＵ１４４は、ステップＳ１５１５において照明器具の電源ＯＮボタンが押されたら、ステップＳ１５１６において照明器具の電源を入れる制御信号を送信し、ステップＳ１５１７においてコンロの電源ＯＦＦボタンが押されたら、ステップＳ１５１８においてコンロの電源を切断する制御信号を送信する。
【００６３】
そして、ＣＰＵ１４４は、ユーザの操作に基づいて、ステップＳ１５１９において緊急地震モードを解除し、処理を終了する。
【００６４】
図１６は、予め設定された閾値以上の震度を検出した際の携帯端末の液晶パネルの表示例である。地震情報と共に全電化製品の電源ＯＦＦボタンが液晶パネルに表示されている。携帯端末１６１はアンテナ３２にて地震検出信号を受信すると、液晶パネル１６３に地震情報と全電化製品の電源ＯＦＦボタン１６４を表示させる。全電化製品の電源ＯＦＦボタン１６４に対応する押ボタンスイッチ１６５が押されると赤外線送信部３６から制御信号を送信する。
【００６５】
以上の構成により本発明の第６の実施例では、地震の発生を予告する緊急地震速報を受信すると電化製品の電源ボタンが自動的に表示されるので、緊急時に最小限のボタン操作でテレビや照明器具等の電化製品の電源を入れ、コンロ等の電化製品の電源を切る携帯端末および緊急システムを提供することができる。
【００６６】
更に振動を検出すると電化製品の電源ボタンが自動的に表示されるので、緊急時に最小限のボタン操作でテレビや照明器具等の電化製品の電源を入れ、コンロ等の電化製品の電源を切る携帯端末および緊急システムを提供することができる。
【００６７】
更に予め設定された震度以上の場合は全電化製品の電源ＯＦＦボタンが自動的に表示されるので、緊急時に最小限のボタン操作で全電化製品の電源を切断する携帯端末および緊急システムを提供することができる。
【００６８】
また、本実施例では全電化製品の電源を切る例を示したが、宅内へ引き込む入り口に設けられるブレーカを切っても良い。
【実施例７】
【００６９】
図１７は、本発明の第７の実施例の携帯端末の動作を示すフローチャートである。第６の実施例と共通する部分についての説明は極力省略する。
【００７０】
ＣＰＵ１４４は、ステップＳ１７０１において緊急地震速報を受信したら、ステップＳ１７０２において緊急地震モードに移行して緊急地震速報の地震情報を液晶パネルに表示させる。また、緊急受信速報を受信していない場合であっても、ＣＰＵ１４４は、ステップＳ１７０３において地震検出装置１１２からの地震検出情報を受信したら、ステップＳ１７０４において緊急地震モードに移行して震度等の地震情報を液晶パネルに表示させる。
【００７１】
次に、ＣＰＵ１４４は、ステップＳ１７０５において、地震検出装置１１２が検出した震度あるいは緊急地震速報の予想震度等が予め設定された閾値以上か否かを判別し、震度あるいは緊急地震速報の予想震度等が予め設定された閾値以上の場合は、ステップＳ１７０６において自動電源ＯＦＦモードが設定されているかどうかを確認し、設定されていない場合は、ステップＳ１７０７において全電化製品の電源ＯＦＦボタンを表示する。自動電源ＯＦＦモードとは、ユーザの操作に基づいて、予め携帯端末に設定（記憶）されているものであり、後述する通り、地震発生時の携帯端末１４１の動作は電源自動ＯＦＦモードか否かにより異なる。
【００７２】
ステップＳ１７０８において全電化製品の電源ＯＦＦボタンが押されたことが検出されたら、ＣＰＵ１４４は、ステップＳ１７０９においてテレビの電源を切断する制御信号を送信し、ステップＳ１７１０において照明器具の電源を切断する制御信号を送信し、ステップＳ１７１１においてコンロの電源を切断する制御信号を送信する。
【００７３】
あるいは、ステップＳ１７０６において自動電源ＯＦＦモードが設定されているかどうかを確認し、設定されている場合は、ステップＳ１７０９においてテレビの電源を切断する制御信号を送信し、ステップＳ１７１０において照明器具の電源を切断する制御信号を送信し、ステップＳ１７１１においてコンロの電源を切断する制御信号を送信する。そして、ＣＰＵ１４４は、ユーザの操作に基づいて、ステップＳ１７１２において緊急地震モードが解除されたら、処理を終了する。
【００７４】
また、ステップＳ１７０５において、地震検出装置１１２が検出した震度あるいは緊急地震速報の予想震度等が予め設定された閾値未満の場合は、ＣＰＵ１４４は、ステップＳ１７１３においてテレビ、照明器具等の各電化製品の電源ＯＮボタン、コンロ等の各電化製品の電源ＯＦＦボタンを液晶パネルに表示させる。
【００７５】
ステップＳ１７１４においてテレビの電源ＯＮボタンが押されたら、ＣＰＵ１４４は、ステップＳ１７１５においてテレビの電源を入れる制御信号を送信し、ステップＳ１７１６において照明器具の電源ＯＮボタンが押されたら、ステップＳ１７１７において照明器具の電源を入れる制御信号を送信し、ステップＳ１７１８においてコンロの電源ＯＦＦボタンが押されたら、ステップＳ１７１９においてコンロの電源を切断する制御信号を送信する。次にステップＳ１７２０において緊急地震モードが解除されたら、処理を終了する。
【００７６】
以上の構成により本発明の第７の実施例では、地震の発生を予告する緊急地震速報を受信すると電化製品の電源ボタンが自動的に表示されるので、緊急時に最小限のボタン操作でテレビや照明器具等の電化製品の電源を入れ、コンロ等の電化製品の電源を切る携帯端末および緊急システムを提供することができる。
【００７７】
更に振動を検出すると電化製品の電源ボタンが自動的に表示されるので、緊急時に最小限のボタン操作でテレビや照明器具等の電化製品の電源を入れ、コンロ等の電化製品の電源を切る携帯端末および緊急システムを提供することができる。
【００７８】
更に予め設定された震度以上の場合は全電化製品の電源ＯＦＦボタンが自動的に表示されるので、緊急時に最小限のボタン操作で全電化製品の電源を切断する携帯端末および緊急システムを提供することができる。
【００７９】
更に自動電源ＯＦＦモードが設定されている場合は、緊急時に全電化製品の電源を自動的に切断する携帯端末および緊急システムを提供することができる。
【００８０】
なお、本発明は上記した実施例に限定されるものではなく、様々な変形例が含まれる。
例えば、テレビのメーカや機種により複数の方式の制御信号が存在するが、例えば、全方式の制御信号を順に送信するようにすれば、全てのテレビに対応することができる。
【００８１】
また、各実施例においては、災害の予告、発生、または確率などを知らせる緊急情報として緊急地震速報を適用したが、これの代わりにまたはこれに加えて、緊急雷速報、緊急火災速報、緊急津波速報、緊急台風速報、緊急大雨速報、緊急河川氾濫速報、緊急噴火速報等を適用しても良い。
【００８２】
また、携帯端末がテレビまたは照明器具の電源を入れる実施例を示したが、テレビの代わりに、ラジオなどの制御信号を受け取れる電化製品を適用しても良い。また、携帯端末が電源を切る対象としてコンロの例を説明したが、電気ストーブなどの制御信号を受け取れる電化製品を適用しても良い。
【００８３】
また、テレビの電源を入れる際、所定のチャンネル（例えば、ＮＨＫ（日本放送協会））に設定して、緊急時には所定の情報を取得するようにしても良い。また、スピーカ（図示せず）の音量を上げるなどして、ユーザが情報を得やすくするようにしても良い。これらの場合、携帯端末が受信チャンネルや音量を指定する情報を制御信号に含めることにより実現することが可能である。
【００８４】
また、本実施例では赤外線により制御信号を送信する例を示したが、電波や光により送信しても良い。
【００８５】
更に、緊急地震モードにおいては通常モードより制御信号送信部の出力を上げるようにすれば、より確実に電化製品の制御を行うことができる。
【００８６】
尚、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００８７】
また、上記の各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【００８８】
また、制御線や情報線は説明上必要と考えられるものを示しており、製品上必ずしも全ての制御線や情報線を示しているとは限らない。実際には殆ど全ての構成が相互に接続されていると考えても良い。
【符号の説明】
【００８９】
１…携帯端末
２…携帯基地局
３…テレビ
４…ＣＰＵ
５…地震情報受信部
６…表示部
７…入力部
８…制御信号送信部
【図１】
0005706295.tif 000002
【図２】
0005706295.tif 000003
【図３】
0005706295.tif 000004
【図４】
0005706295.tif 000005
【図５】
0005706295.tif 000006
【図６】
0005706295.tif 000007
【図７】
0005706295.tif 000008
【図８】
0005706295.tif 000009
【図９】
0005706295.tif 000010
【図１０】
0005706295.tif 000011
【図１１】
0005706295.tif 000012
【図１２】
0005706295.tif 000013
【図１３】
0005706295.tif 000014
【図１４】
0005706295.tif 000015
【図１５】
0005706295.tif 000016
【図１６】
0005706295.tif 000017
【図１７】
0005706295.tif 000018